(57)【要約】  【課題】遊技台等において行われる不正を検知し、且つ不正が行われている遊技台を特定することができる不正検知装置を提供することを目的とする。【解決手段】発信手段と、受信手段とを備え、前記発信手段から前記受信手段へ向って遊技台の前方を通過する検知信号を発信し、該検知信号が遮断されることにより前記受信手段が遮断を検知する不正検知装置において、前記発信手段及び前記受信手段は、遊技島に複数台設置された前記各遊技台に対応して設置された遊技媒体貸出機に突出して設ける。【選択図】      図２
2005270220.tif 000002
【特許請求の範囲】
【請求項１】
発信手段と、受信手段とを備え、前記発信手段から前記受信手段へ向って遊技台の前方を通過する検知信号を発信し、該検知信号が遮断されることにより前記受信手段が遮断を検知する不正検知装置において、
前記発信手段及び前記受信手段は、遊技島に複数台設置された前記各遊技台に対応して設置された遊技媒体貸出機に突出して設けたことを特徴とする不正検知装置。
【発明の詳細な説明】
【技術分野】
【０００１】
本発明は、遊技島の各遊技台に対応して設置された遊技媒体貸出機に備えられ、遊技台に対して行われる不正行為を検知する不正検知装置に関するものである。
【背景技術】
【０００２】
従来、パチンコやパチスロなどの遊技台が設置されている遊技場では、様々な不正行為が行われていることが問題となっている。例えば、遊技台の開閉自在な前面枠を開放し、遊技台内部に設置されている遊技台を制御するためのＲＯＭを、大当たり確率などを不正に変更したプログラムが入ったＲＯＭと交換する行為や、遊技台前面の開閉自在なガラス板を開放し、遊技球を入賞口に直接投入し不正に大当たりを発生させるという行為等があり、早期に発見しないと遊技場の被害が大きくなってしまう。
【０００３】
そのような不正行為を防止するものとして、特許文献１に遊技機用防犯装置が記されている。パチンコ島の両端に取り付けた各センサアームに投光素子及び受光素子を設け、一端側のセンサアームに設けた投稿素子から他端側のセンサアームに設けた受光素子へ、光軸を略水平に発生させている。不正を行うためにパチンコ機前面のサッシが開放されるなどした場合に光軸が遮断されると、パチンコ島の端に設けたコントロールボックスに対して電気信号が送られ、これによりコントロールボックスがブザーボックスなどに報知動作を行わせる。
【特許文献１】特開平１０−９９５１７
【０００４】
また、特許文献２における不正遊技検知装置は、パチンコ機の前面のガラス枠の左側に投光ユニットを、右側に受光ユニットを設け、投光ユニットから受光ユニットへ光が投射されている。パチンコ機のガラス板に物体が近づくと光が遮断され、投光ユニットから投射される光を受光ユニットで検知できなくなると、呼び出しランプ装置を特定のパターンで点滅させたり監視カメラを対象となる遊技機に向けたりするなどの制御を実行する。
【特許文献２】特開２００２−３３１１２５
【発明の開示】
【発明が解決しようとする課題】
【０００５】
しかし、特許文献１における遊技機防犯装置は、パチンコ島の一端から他端へ光軸を発生させ、パチンコ島全体において不正を監視するものであり、昼間の営業時で多数の遊技客が同一島内にいる場合、どの遊技台で不正が行われているかを特定することができない。従って、同一の島内において複数の遊技客が遊技を行っている場合はどの遊技客が不正を行っているかを特定し辛く、不正の発見が遅れたり、若しくは発見に至らなかったりするなどの問題が発生していた。また、パチンコ島が屈曲したり湾曲したりしている場合においては、光はパチンコ機の前面を通過せず、不正行為を検知することができない。また、ＲＯＭの交換による不正行為は夜間等の非営業時に遊技場に侵入して行われ、時には店員を抱きこんで行われることもあり、センサアームからコントロールボックスやブザーボックスなどへ通信するための配線を細工し、受光素子に光が到達しなくても到達しているかのようにすることもできてしまう。
【０００６】
また、特許文献２における不正遊技検知装置は、パチンコ機に設けられているものであるが、近年パチンコ機は平均して１年、早い場合には３ヶ月で新台に交換されており、パチンコ機にこのような不正遊技検知装置を設けると、その都度不正検知装置の付替え作業を行わなくてはならない。また、パチンコ機に設けられているので、ガラス板の開放やガラス板に近づいた物体の検知などはできるが、前面枠の開放においては検知することができない。
【０００７】
本発明は以上の点に鑑みなされたもので、遊技台等において行われる不正を営業時及び非営業時何れにおいても確実に検知することができる不正検知装置を提供することを目的とする。
【課題を解決するための手段】
【０００８】
上記した目的は、発信手段と、受信手段とを備え、前記発信手段から前記受信手段へ向って遊技台の前方を通過する検知信号を発信し、該検知信号が遮断されることにより前記受信手段が遮断を検知する不正検知装置において、
前記発信手段及び前記受信手段は、遊技島に複数台設置された前記各遊技台に対応して設置された遊技媒体貸出機に突出して設けたことにより達成される。
【発明の効果】
【０００９】
以上のように本発明の構成によれば、発信手段と、受信手段とを備え、前記発信手段から前記受信手段へ向って遊技台の前方を通過する検知信号を発信し、該検知信号が遮断されることにより前記受信手段が遮断を検知する不正検知装置において、
前記発信手段及び前記受信手段は、遊技島に複数台設置された前記各遊技台に対応して設置された遊技媒体貸出機に突出して設けたことにより、遊技台の前面枠やガラス板を開放する等の不正行為が行われると、検知信号が遮断され、不正行為を検知することができるので、不正による被害をなくすことができる。
【００１０】
また、不正検知装置は各遊技台に対応して設けられた各遊技媒体貸出機に備えられているので、昼間の営業時等多数の遊技客がいる場合においても不正行為が行われている遊技台を特定することができ、不正行為の早期発見につながる上に、遊技島が屈曲したり湾曲したりしている場合においても検知信号が遊技台の前方を通過することができる。さらには、遊技台の交換時期とは関係なく継続して使用できるので、遊技台に設置した場合と比較して、頻繁に付替え作業を行う必要がなくなる。
【００１１】
また、発信手段及び受信手段の配線は遊技媒体貸出機内部を通っており、遊技媒体貸出機内部に記憶装置を設け受信手段と記憶装置を接続し、検知信号が遮断されたことを記憶するように構成すれば、夜間等の非営業時に侵入し配線を細工しようとするには、遊技媒体貸出機を遊技島から取り外す必要があり、そのようにすると検知信号が受信手段に到達しなくなり検知することができる。
【実施例１】
【００１２】
以下、本発明の実施例を図面に従って説明する。図１は、本発明にかかる不正検知装置を備えた遊技媒体貸出機３０が適用される遊技島１０の概略構成を示す図である。遊技島１０は、複数の遊技台２０を横方向に配列して構成される。また、店内のレイアウトにより遊技台２０を図の背面側に、図示する遊技台２０と背中合わせとなるように配列することも可能である。各遊技台２０の間には、遊技媒体貸出機３０が配置される。
【００１３】
図２は本発明にかかる不正検知装置を備えた遊技媒体貸出機３０を示す図である。ここでの遊技媒体貸出機３０は、貨幣類投入部３２に貨幣（紙幣または硬貨）を投入して、遊技媒体を貸出す構成としたものである。遊技媒体貸出機３０は、長方形からなる貸出機本体部が設けられ、貸出機本体部の上方寄りに、縦型の貨幣類投入部３２（紙幣投入口３２ａ及び硬貨投入口３２ｂ）が設けられ、中央付近にパチンコ玉を払出す供給樋付の遊技媒体供給装置３４が前方側に突出して設けられ、この供給樋付の遊技媒体供給装置３４から隣接するパチンコ台の上皿内に供給される。その下に返却した硬貨を排出する硬貨返却口３６が設けられている。本発明においては、上記構成に加え、貨幣類投入部３２の上部に発信手段としての発光装置４２が備えられ、遊技媒体供給装置３４には受信手段としての受光装置４４が備えられている。発光装置４２には左右両側面に夫々発光部４２ａ（４２Ｌａ、４２Ｒａ）が備えられ、受光装置４４には左右両側面に夫々受光部４４ａ（４４Ｌａ、４２Ｒａ）が備えられている。
【００１４】
図１に示すように、発光装置４２の右側の発光部４２Ｒａからは右斜め下方向に光４６が発せられ、右隣に設置された遊技台２０前面を通過し、さらに右隣に設置された遊技媒体貸出機３０の遊技媒体供給装置３４の左側に備えられた受光部４４Ｌａへ到達する。また、発光装置４２の左側の発光部４２Ｌａからは左斜め下方向に光４６が発せられ、左隣に設置された遊技台２０前面を通過し、さらに左隣に設置された遊技媒体貸出機３０の遊技媒体供給装置３４の右側に備えられた受光部４４Ｒａへ到達する。即ち、各遊技媒体貸出機３０間の遊技台２０前面を交差状に２本の光４６が発せられている。遊技媒体供給装置３４は前方方向に突出されて設けられているので、遊技台２０前面のガラス板の枠等のわずかな突部によって光４６が遮断されることがない。
【００１５】
即ち、遊技台２０の前面枠を開放する等の不正が行われると、上記した光４６が遮断され、受光装置４４には光４６が到達しないので、不正行為を検知することができる。
【００１６】
また、発光装置４２を遊技媒体貸出機３０の上部に前方側に突出して設けた構成を示したが、遊技媒体供給装置３４のように遊技媒体貸出機に通常突出して設けられた部位に設けてもよい。図示しないが、貨幣類投入部３２等が突出している場合は貨幣類投入部３２に設けてもよい。また、受光装置４４を突出して設けられてある遊技媒体供給装置３４に設けた構成を示したが、発光装置４２のように通常遊技媒体貸出機に設けられた部位とは別に前方に突出して設けてもよく、硬貨返却口３６など遊技媒体供給装置３４以外の突出した部位に設けてもよい。即ち、通常時に遊技台２０前面のガラス板の枠等の突部によって光４６が遮断されない程度に突出されていれば、発光装置４２及び受光装置４４の何れも遊技媒体貸出機３０の如何なる位置に設けてもよい。
【００１７】
また、遊技台２０前面を２本の光４６が交差状に発せられている構成を示したが、本発明はこれに限らない。図３及び図４に示すように遊技媒体貸出機３０の上部に、右側面には発光部４２Ｒａを左側面には受光部４４Ｌａを備えた発光受光装置４３を設け、遊技媒体供給装置３４にも同様に右側面には発光部４２Ｒａを、左側面には受光部４４Ｌａを備え、遊技媒体貸出機３０上部に備えられた発光部４２Ｒａから右隣の遊技媒体貸出機の上部に備えられた受光部４４Ｌａへ光を発生させ、同様に遊技媒体供給装置３４の発光部４２Ｒａから右隣の遊技媒体貸出機３０の遊技媒体供給装置３４に備えられた受光部４４Ｌａへ光４６を発生させる。即ち、平行状に２本の光を発生させるよう構成してもよい。
【００１８】
また、図５及び図６に示すように遊技媒体貸出機３０の上部に発光装置４２を備え、遊技媒体供給装置３４に受光装置４４を備え、発光装置４２の一方側の側面、例えば右側面に発光部４２Ｒａを備え、受光装置４４の同じく右側面に受光部４４Ｒａを備え，発光装置４２と受光装置４４との略中間位置に光を反射させる反射部材４８を前方方向に突出して設け、発光部４２Ｒａから反射部材４８へ光を発生させ、反射部材４８によって光が受光部４４Ｒａに向かって「＞」の字状に反射するよう構成してもよい。
【００１９】
また、発光装置４２及び受光装置４４を、遊技媒体貸出機３０に一体となって備えた構成を示したが、図７に示すように着脱可能に構成してもよい。配線に関しては、発光装置４２の場合は発光装置４２に備えた雄コネクタ４２ｂと、遊技媒体貸出機３０に備えた雌コネクタ４２ｃとによって接続し、受光装置の場合は受光装置４４に備えた雄コネクタ４４ｂと、遊技媒体貸出機に備えた雌コネクタ４４ｃとによって接続されるように構成する。
【００２０】
また、光が遮断されてからすぐに不正行為と判定するのではなく、所定時間連続して光が遮断された場合にのみ、不正行為と判定するように構成すれば、遊技者がたまたま光を遮断するように遊技台に手を近づけその後すぐに手を離した場合などに、誤って検知することがない。
【００２１】
また、上記した２本の光４６のうち１本のみが遮断された場合には不正行為と判定せず、２本の光４６が両方とも遮断された場合にのみ不正行為と判定するようにすれば、遊技者の手や他の異物がたまたま光４６を遮断した場合には不正行為と判定されず、遊技台２０前面枠を開放した場合には必ず２本の光４６が遮断され不正行為と判定されるので、誤って検知することがない。
【００２２】
また、本実施例においては遊技台２０をパチンコ台とし、遊技媒体貸出機３０を玉貸出機として示したが、他の種類、例えば図８に示すように遊技台をスロットマシンとし、遊技媒体貸出機３０をメダル貸出機としてもよい。遊技媒体貸出機３０上部前面に発光受光装置４３を突出して備え，発光受光装置４３の右側面に発光部４２Ｒａを、左側面には受光部４４Ｌａを備え、遊技媒体貸出機３０の下部前面に突出して設けられた遊技媒体供給装置３４の右側面に発光部４２Ｒａを、左側面に受光部４４Ｌａを備える。玉貸出機の場合と同様に発光受光装置の発光部４２Ｒａから、左隣に設置された遊技媒体貸出機３０の発光受光装置４３に備えられた受光部Ｌ４４ａへ向って光を発し、遊技媒体供給装置３４の発光部４２Ｒａから、右隣に設置された遊技媒体貸出機３０の遊技媒体供給装置３４の左側面に備えられた受光部４４Ｌａへ向って光を発する。よってスロットマシンを配置した遊技島においても不正を検知することができる。
【００２３】
上記したように構成することにより、遊技台の前面枠やガラス板を開放する等の不正行為が行われると光が遮断され、不正行為を検知することができる。
【００２４】
また、不正検知装置は各遊技台に対応して設けられた各遊技媒体貸出機に備えられているので、不正行為が行われている遊技台を特定することができ、不正行為の早期発見につながる上に、遊技島が屈曲したり湾曲したりしている場合においても光が遊技台の前方を通過することができる。さらには、遊技台の交換時期とは関係なく継続して使用できるので、遊技台に設置した場合と比較して、頻繁に付替え作業を行う必要がなくなる。
【００２５】
また、発信手段及び受信手段の配線は遊技媒体貸出機内部を通っており、遊技媒体貸出機内部に記憶装置を設け受信手段と記憶装置を接続し、検知信号が遮断されたことを記憶するように構成すれば、夜間等の非営業時に侵入し配線を細工しようとするには、遊技媒体貸出機を遊技島から取り外す必要があり、そのようにすると検知信号が受信手段に到達しなくなり検知することができる。
【図面の簡単な説明】
【００２６】
【図１】本発明の不正検知装置が適用される遊技媒体貸出機を備えた遊技島の構成を示す図である。
【図２】本発明の不正検知装置が適用される遊技媒体貸出機を示す図である。
【図３】本発明の他の実施例における遊技島の構成を示す図である。
【図４】本発明の他の実施例における遊技媒体貸出機を示す図である。
【図５】本発明の他の実施例における遊技島の構成を示す図である。
【図６】本発明の他の実施例における遊技媒体貸出機を示す図である。
【図７】本発明の他の実施例における遊技媒体貸出機を示す図である。
【図８】本発明の他の実施例における遊技島の構成を示す図である。
【符号の説明】
【００２７】
１０    遊技島  ２０    遊技台  ３０    遊技媒体貸出機  ４２    発光装置（発信手段）  ４４    受光装置（受信手段）  ４６    光（検知信号）
【図１】
2005270220.tif 000003
【図２】
2005270220.tif 000004
【図３】
2005270220.tif 000005
【図４】
2005270220.tif 000006
【図５】
2005270220.tif 000007
【図６】
2005270220.tif 000008
【図７】
2005270220.tif 000009
【図８】
2005270220.tif 000010